(57)【特許請求の範囲】
【請求項１】
複数のアンテナ素子と、
前記複数のアンテナ素子間の位相差を調節する移相器と、
前記移相器の動作を制御する制御装置と、
前記複数のアンテナ素子及び前記移相器を収容し、水平方向に対して直交又は傾斜して固定される円筒状の筒体とを備え、
前記筒体には、その側面に貫通孔が形成され、
前記貫通孔を覆うように前記筒体の外周面に固定され、鉛直方向下方に開口を有するカバー部材、及び前記カバー部材に着脱可能に固定され、前記カバー部材の前記開口の少なくとも一部を塞ぐ蓋部材をさらに備え、
前記制御装置は、前記カバー部材に収容されると共に前記蓋部材に連結され、前記貫通孔を挿通する電線を介して前記移相器の動作を制御し、かつ前記カバー部材の前記開口を介して前記蓋部材と共に前記カバー部材の内部から外部に取り出し可能である
アンテナ装置。
【請求項２】
前記制御装置は、前記蓋部材側が開口した筐体を有し、
前記筐体と前記蓋部材とを連結する連結部材をさらに備え、
前記連結部材には、前記制御装置に前記位相差の情報を含む制御信号を伝達する配線を中継するコネクタが設けられ、
前記制御装置は、前記コネクタと前記筐体との間に間隔をあけて前記連結部材に支持される、
請求項１に記載のアンテナ装置。
【請求項３】
前記筒体は、複数の固定部材によって支柱に固定され、
前記貫通孔は、前記複数の固定部材のうち最も鉛直方向下側に配置される固定部材よりもさらに鉛直方向下側に形成されている、
請求項１又は２に記載のアンテナ装置。
【発明の詳細な説明】
【技術分野】
【０００１】
本発明は、遠隔操作により、複数のアンテナ素子の信号の位相差を調節することが可能なアンテナ装置に関する。
【背景技術】
【０００２】
近年、第三世代の携帯電話の通信方式である３Ｇシステムの基地局用のアンテナ装置として、ＡＩＳＧ（Antenna Interface Standards Group）の規格に対応したものが普及しつつある（例えば、特許文献１参照）。
【０００３】
ＡＩＳＧは、基地局に設けられる複数のアンテナ装置の制御を標準化するための国際規格であり、複数のアンテナ装置の垂直面内のチルト角を、例えば通信のトラフィックに応じて通信エリアを変更すべく変更したり、アンテナ装置の動作状態をモニタしたりする際の通信仕様等が定められている。
【先行技術文献】
【特許文献】
【０００４】
【特許文献１】特開２０１１−１０３６１２号公報
【発明の概要】
【発明が解決しようとする課題】
【０００５】
ＡＩＳＧの規格に対応したアンテナ装置では、上位コントローラからの制御信号を通信によって受信し、受信した制御信号の内容に基づいてアンテナ装置内の移相器を制御する必要がある。このため、ＡＩＳＧの規格に対応したアンテナ装置では、ＣＰＵ（Central Processing Unit）等を備えた制御装置を新たに搭載する必要がある。
【０００６】
ところで、ＡＩＳＧの規格に対応していない既存のアンテナ装置を同規格に対応したアンテナ装置に置き換える場合、両アンテナ装置の支柱への取り付け寸法等が共通であることが望ましい。より具体的には、既存のアンテナ装置が円筒状の筒体の内部に複数のアンテナ素子や移相器等を収容して構成されている場合、この筒体の外径を変更することなく、置き換えができることが求められる。
【０００７】
つまり、ＡＩＳＧの規格に未対応のアンテナ装置では、基地局に設置された１台のチルト角制御装置から、複数のアンテナ装置に移相器を制御するためのアナログ信号が出力され、各アンテナ装置の移相器は、このアナログ信号に基づいて作動していたが、ＡＩＳＧの規格に対応したアンテナ装置では、筒体の外径や長さを変更することなく、新たに制御装置を搭載しなければならない。しかし、アンテナ装置の小型化は、携帯電話の普及当初からの普遍的な課題であり、アンテナ装置の内部には、新たに制御装置を収容可能な空間は確保されていないのが実情である。
【０００８】
また、この種のアンテナ装置は、ビルや鉄塔の頂上付近のような高所に設けられるので、例えば落雷による雷サージによって故障する場合があり、故障発生時には迅速に交換を行わなければならない。また、降雨による浸水によって故障することは、可能な限り避けなければならない。
【０００９】
本発明は、上記の事情に鑑みてなされたものであり、その目的は、複数のアンテナ素子及び移相器を収容する筒体の外径を大きくすることなく、移相器を制御するための制御装置の搭載を可能とするアンテナ装置を提供することにある。
【課題を解決するための手段】
【００１０】
本発明は、上記課題を解決することを目的として、複数のアンテナ素子と、前記複数のアンテナ素子間の位相差を調節する移相器と、前記移相器の動作を制御する制御装置と、前記複数のアンテナ素子及び前記移相器を収容し、水平方向に対して直交又は傾斜して固定される円筒状の筒体とを備え、前記筒体には、その側面に貫通孔が形成され、前記貫通孔を覆うように前記筒体の外周面に固定され、鉛直方向下方に開口を有するカバー部材、及び前記カバー部材に着脱可能に固定され、前記カバー部材の前記開口の少なくとも一部を塞ぐ蓋部材をさらに備え、前記制御装置は、前記カバー部材に収容されると共に前記蓋部材に連結され、前記貫通孔を挿通する電線を介して前記移相器の動作を制御し、かつ前記カバー部材の前記開口を介して前記蓋部材と共に前記カバー部材の内部から外部に取り出し可能であるアンテナ装置を提供する。
【００１２】
また、前記制御装置は、前記蓋部材側が開口した筐体を有し、前記筐体と前記蓋部材とを連結する連結部材をさらに備え、前記連結部材には、前記制御装置に前記位相差の情報を含む制御信号を伝達する配線を中継するコネクタが設けられ、前記制御装置は、前記コネクタと前記筐体との間に間隔をあけて前記連結部材に支持されるとよい。
【００１３】
また、前記筒体は、複数の固定部材によって支柱に固定され、前記貫通孔は、前記複数の固定部材のうち最も鉛直方向下側に配置される固定部材よりもさらに鉛直方向下側に形成されているとよい。
【発明の効果】
【００１４】
本発明によれば、複数のアンテナ素子及び移相器を収容する筒体の外径を大きくすることなく、移相器を制御するための制御装置の搭載を可能とするアンテナ装置を提供できる。
【図面の簡単な説明】
【００１５】
【図１Ａ】本実施の形態に係るアンテナ装置を示し、（ａ）はアンテナ装置が支柱に固定された状態の側面図、（ｂ）はアンテナ装置を支柱側から見た状態を示す側面図である。
【図１Ｂ】アレイアンテナの構成の一例を示す斜視図である。
【図２】制御装置及びその周辺部を示す図１Ａ（ｂ）のＡ−Ａ線断面図である。
【図３】連結部材、及び連結部材に固定されたコネクタを示し、（ａ）は底面図、（ｂ）は正面図である。
【図４】蓋部材を示し、（ａ）は平面図、（ｂ）は側面図、（ｃ）は正面図である。
【図５】（ａ）は、カバー部材の内部から制御装置を連結部材及び蓋部材と共に取り出した状態を示す図、（ｂ）は制御装置アンテナ装置から取り外した状態を示す図である。
【発明を実施するための形態】
【００１６】
［実施の形態］
以下、本発明の実施の形態に係るアンテナ装置を、図１Ａ〜図５を参照して説明する。このアンテナ装置は、例えば携帯電話の基地局に用いられ、ＡＩＳＧの規格に対応している。
【００１７】
図１Ａは、本実施の形態に係るアンテナ装置を示し、（ａ）はアンテナ装置が支柱に固定された状態の側面図、（ｂ）はアンテナ装置を支柱側から見た状態を示す側面図である。この図では、内部のアレイアンテナ素子、及び移相器を破線で示している。
【００１８】
このアンテナ装置１は、筒体１０と、筒体１０の内部に収容された複数のアンテナ素子を有するアレイアンテナ１１と、アレイアンテナ１１の複数のアンテナ素子の位相差を調節する移相器１２と、カバー部材２と、移相器１２の動作を制御する制御装置３とを備えている。筒体１０は、支柱９に支持されている。
【００１９】
本実施の形態では、支柱９が鉛直方向に沿って設けられ、支柱９と平行に筒体１０が固定されている。つまり、筒体１０は、水平方向に対して直交して（鉛直方向に沿って）支柱９に固定されている。なお、筒体１０を水平方向に対して傾斜して固定してもよい。
【００２０】
筒体１０の下側の面には、アレイアンテナ１１の複数のアンテナ素子にそれぞれ接続される、送受信信号を伝送するための同軸ケーブルを中継する複数のコネクタ１３が設けられている。
【００２１】
筒体１０の外周面には、第１及び第２の固定部材１０１，１０２が固定されている。第２の固定部材１０２は、第１の固定部材１０１よりも鉛直方向下側に配置されている。本実施の形態では、第１及び第２の固定部材１０１，１０２が複数のリベット１０３によって筒体１０に固定されている。
【００２２】
また、支柱９には、第１の取付部材９０１及び第２の取付部材９０２が固定されている。第１の取付部材９０１には筒体１０側の第１の固定部材１０１が、第２の取付部材９０２には筒体１０側の第２の固定部材１０２がそれぞれ取り付けられ、これにより支柱９に筒対１０が固定されている。
【００２３】
筒体１０には、第２の固定部材１０２よりも鉛直方向下側の側面に、貫通孔１０ａが形成されている。この貫通孔１０ａは、筒体１０の内部と外部とを連通している。本実施の形態では、貫通孔１０ａが支柱９に対向する位置に形成されている。
【００２４】
また、筒体１０の外周面には、貫通孔１０ａを覆うように、カバー部材２が固定されている。カバー部材２は、貫通孔１０ａに対向する第１の側壁２１と、第１の側壁２１を挟んで筒体１０の周方向に対向する第２の側壁２２及び第３の側壁２３と、第１〜第３の側壁２１〜２３及び筒体１０によって囲まれる空間の鉛直方向上側を閉塞する上壁２４とを一体に有している。
【００２５】
第１〜第３の側壁２１〜２３には、ボルト２５を挿通させる丸孔２１ａ，２２ａ，２３ａが形成されている。また、カバー部材２は、鉛直方向下方に開口２ａを有している。この開口２ａからは、後述するコネクタ４３，４４（後述）が突出している。
【００２６】
カバー部材２は、筒体１０の外周面に沿って第２及び第３の側壁に連続して形成された曲面状の張り出し部２２１，２３１を有している。張り出し部２２１，２３１は、複数（本実施の形態では６個）のリベット２６によって筒体１０に固定されている。
【００２７】
図１Ｂは、アレイアンテナ１１の構成の一例を示す斜視図である。このアレイアンテナ１１は、複数のアンテナ素子１１１を鉛直方向に沿って配列して構成されている。アンテナ素子１１１は、偏波特性が互いに直交する垂直偏波アンテナ素子１１２及び水平偏波アンテナ素子１１３が十字形状に組み合わせている。垂直偏波アンテナ素子１１２は、垂直偏波を送信および受信し、水平偏波アンテナ素子１１３は、水平偏波を送信および受信する。垂直偏波アンテナ素子１１２及び水平偏波アンテナ素子１１３は、例えば誘電体基板にダイポール素子、給電線路導体、及び接地導体が形成された周知のプリントダイポールアンテナである。
【００２８】
本実施の形態では、複数のアンテナ素子１１１が複列に配置されている。第１のアンテナ素子列１１ａは８つのアンテナ素子１１１からなり、第２のアンテナ素子列１１ｂも第１のアンテナ素子列１１ａと同数のアンテナ素子１１１からなる。第１のアンテナ素子列１１ａと第２のアンテナ素子列１１ｂとの間には、金属等の導電体からなる遮蔽板１１４、及び遮蔽板１１４を挟むセラミックス等の誘電材料からなる一対の誘電体１１５，１１６が介在している。
【００２９】
アンテナ素子１１１（垂直偏波アンテナ素子１１２及び水平偏波アンテナ素子１１３）、遮蔽板１１４、及び誘電体１１５，１１６は、反射板１１０に対して直交するように固定されている。反射板１１０は、板形状を有し、電波を反射する金属材料等を用いて形成されている。
【００３０】
複数のアンテナ素子１１１の送受信信号の位相は、制御装置３によって制御される移相器１２によって調節される。アレイアンテナ１１は、移相器１２による位相の調節によって垂直面内の指向性が変化する。制御装置３は、カバー部材２の内部に収容されている。
【００３１】
図２は、制御装置３及びその周辺部を示す図１Ａ（ｂ）のＡ−Ａ線断面図である。
【００３２】
制御装置３は、有底筒状の筐体３０と、筐体３０の内部に互いに平行に配置された２枚の基板３１，３２と、基板３１，３２の端部に設けられたコネクタ３１１，３２１とを有している。２枚の基板３１，３２は、筐体３０にスペーサ３４を介してボルト３５によって固定されている。基板３１，３２には、図略のＣＰＵやＲＡＭ，ＲＯＭ等の記憶素子、及び通信用のＩＣ等が実装されている。基板３１と基板３２とは、基板３１側に設けられた複数のピン３３１と、複数のピン３３１が挿入される基板３２のソケット３３２によって接続されている。
【００３３】
筐体３０は、コネクタ３１１，３２１が設けられた側の端部に開口３０ａを有している。コネクタ３１１，３２１には、開口３０ａを介して相手側のコネクタ４３２，４３３が嵌合される。
【００３４】
図２に示すように、筐体３０は、Ｌ字状の連結部材４と、カバー部材２の開口２ａを塞ぐように配置される蓋部材５とを介してカバー部材２に固定されている。つまり、制御装置３は、筐体３０が連結部材４によって蓋部材５に連結されている。筐体３０の開口３０ａは、蓋部材５側に面している。
【００３５】
より具体的には、筐体３０は、基板３１に対向する側面に形成された複数のねじ孔３０ｂにそれぞれ螺合する複数のボルト３６によって連結部材４の第１の板部４１に固定され、第１の板部４１に直交するように形成された第２の板部４２が、複数のボルト４２１によって蓋部材５に固定されている。蓋部材５は、丸孔２１ａ，２２ａ，２３ａ（図１Ａ参照）を挿通するボルト２５によってカバー部材２に固定されている。
【００３６】
連結部材４には、図略の上位コントローラと制御装置３とを接続するための配線が接続されるコネクタ４３が固定されている。制御装置３は、コネクタ４３と筐体３０との間に間隔をあけて第１の板部４１に固定されている。このコネクタ４３は、制御装置３に、移相器１２により設定すべき複数のアンテナ素子間の信号の位相差の情報を含む制御信号を伝達する配線を中継する多芯コネクタである。本実施の形態では、コネクタ４３の複数の接続端子のうち、４つの接続端子が複数の信号線４３１によってコネクタ４３２に接続されている。
【００３７】
第１の板部４１は、筒体１０の外周面に接触することなく、筒体１０の外周面に対向している。すなわち、第１の板部４１と筒体１０との間には、隙間が形成されている。
【００３８】
制御装置３は、筒体１０の貫通孔１０ａを挿通する電線３７を介して、筒体１０に収容された移相器１２の動作を制御する。移相器１２は、例えばモータのトルクによって回転する可動導体と、この可動導体に電気的に結合する第１及び第２の固定導体とを備え、第１及び第２の固定導体の少なくとも一方の固定導体の端部にアンテナ素子１１１が接続された回転移相器であり、電線３７を介して供給される電流によってモータが回転するように構成されている。
【００３９】
電線３７は、複数の芯線がシールド導体によって覆われた多芯シールドケーブルであり、電線３７の複数の芯線は、制御装置３のコネクタ３１１に嵌合されるコネクタ４３２、及びコネクタ３１２に嵌合されるコネクタ４３３の接続端子に接続されている。
【００４０】
図３は、連結部材４、及び連結部材４に固定されたコネクタ４３，４４を示し、（ａ）は底面図、（ｂ）は正面図である。
【００４１】
第１の板部４１には、制御装置３の筐体３０を固定する複数（本実施の形態では４本）のボルト３５を挿通させる４つの挿通孔４１ａが形成されている。挿通孔４１ａは、アンテナ装置１に組み付けられた際に鉛直方向上側となる部分が丸孔として形成され、この丸孔の直径よりも狭い幅を有して鉛直方向下方に延びる長孔が、丸孔に連続して形成されている。これにより、ボルト３６を緩めることによって第１の板部４１から制御装置３を取り外すことが可能とされている。
【００４２】
第２の板部４２には、コネクタ４３及びコネクタ４４が複数のボルト４５によって固定されている。また、第２の板部４２には、水抜き用の孔４２ａが１箇所に形成されている。またさらに、第２の板部４２には、蓋部材５との結合のための複数のねじ孔４２ｂが形成されている。
【００４３】
コネクタ４３の接続端子には、前述の信号線４３１が接続される他、基地局に設けられた他のアンテナ装置に上位コントローラからの制御信号を伝達するための信号線４３４が接続されている。信号線４３４は、コネクタ４４の接続端子に接続され、他のアンテナ装置に制御信号を伝達する。すなわち、基地局に設けられた複数のアンテナ装置は、デイジーチェーン接続されている。
【００４４】
図４は、蓋部材５を示し、（ａ）は平面図、（ｂ）は側面図、（ｃ）は正面図である。
【００４５】
蓋部材５は、連結部材４の第２の板部４２に対向する底壁５０と、カバー部材２の第１の側壁２１（図１Ａ参照）に対向する第１の側壁５１と、カバー部材２の第２の側壁２２に対向する第２の側壁５２と、カバー部材２の第３の側壁２３に対向する第３の側壁５３とを一体に有している。第１〜第３の側壁５１〜５３は、底壁５０に直交して立設されている。
【００４６】
底壁５０には、連結部材４の第２の板部４２に形成された水抜き用の孔４２ａに対応する位置に、水抜き用の孔５０ａが形成されている。また、底壁５０には、コネクタ４３，４４を挿通させる角孔５０ｂ，５０ｃが形成されている。第１の側壁５１とは反対側の底壁５０の端面５０ｄは、筒体１０の外周面の曲面に沿った円弧状に形成されている。
【００４７】
第１〜第３の側壁５１〜５３には、カバー部材２の第１〜第３の側壁２１〜２３に形成された丸孔２１ａ，２２ａ，２３ａに対応する位置に、それぞれねじ孔５１ａ，５２ａ，５３ａが形成されている。ねじ孔５１ａ，５２ａ，５３ａには、丸孔２１ａ，２２ａ，２３ａを挿通したボルト２５がねじ留めされ、これにより蓋部材５がカバー部材２に取り付けられる。また、ボルト２５を外すことにより、蓋部材５をカバー部材２から取り外すことが可能である。すなわち、蓋部材５は、カバー部材２に着脱可能である。
【００４８】
蓋部材５がカバー部材２に取り付けられた状態では、水抜き用の孔５０ａの部分を除き、蓋部材５がカバー部材２の開口２ａを塞ぐ。なお、底壁５０に水抜き用の孔５０ａを形成せず、蓋部材５がカバー部材２の開口２ａの全体を塞ぐようにしてもよい。
【００４９】
（制御装置３の交換手順）
次に、例えば制御装置３が故障した場合の、制御装置３の交換手順について説明する。制御装置３の交換は、以下の手順により行うことができる。
【００５０】
まず、蓋部材５をカバー部材２に固定している３つのボルト２５を取り外す。この作業は、制御装置３等の自重による落下を防ぐため、蓋部材５を支持した状態で行う。
【００５１】
次に、カバー部材２内に収容されている制御装置３、連結部材４、及び蓋部材５を開口２ａから下方に取り出す。この際、制御装置３は、連結部材４によって蓋部材５に連結されているので、制御装置３、連結部材４、及び蓋部材５が一体となってカバー部材２から取り出される。
【００５２】
図５（ａ）は、カバー部材２の内部から制御装置３を連結部材４及び蓋部材５と共に取り出した状態を示す図である。この図に示すように、制御装置３に接続された電線３７は、コネクタ４３２，４３３が接続された側の一端が、制御装置３と共にカバー部材２の外部に引き出される。
【００５３】
次に、制御装置３の筐体３０を連結部材４の第１の板部４１に固定しているボルト３６を取り外し、さらに制御装置３のコネクタ３１１，３２１からコネクタ４３２，４３３を取り外す。これにより、制御装置３がアンテナ装置１から取り外される。この状態を図５（ｂ）に示す。
【００５４】
また、交換後の制御装置３をアンテナ装置１に取り付ける際は、上記と逆の手順によって、制御装置３のコネクタ３１１，３２１に電線３７側のコネクタ４３２，４３３を嵌合し、制御装置３を連結部材４に取り付け、制御装置３を連結部材４及び蓋部材５と共にカバー部材２の内部に挿入し、蓋部材５をカバー部材２に固定する。これにより制御装置３の交換作業が完了する。
【００５５】
（実施の形態の効果）
以上説明した実施の形態によれば、以下のような効果が得られる。
【００５６】
（１）制御装置３は、筒体１０の内部ではなく、筒体の外部に固定されるので、制御装置３を収容するために筒体１０の外径を拡大する必要がない。従って、制御装置３を有していない既存のアンテナ装置と筒体１０の外径を共通化することができ、アンテナ装置１への置き換えが容易となる。
【００５７】
（２）制御装置３は、カバー部材２の開口２ａを介して、カバー部材２の内部から外部に取り出される。これにより、カバー部材２を筒体１０から取り外すことなく、制御装置３の交換が可能であり、制御装置３の交換作業を容易に行うことが可能となる。
【００５８】
（３）制御装置３は、蓋部材５に連結されており、蓋部材５と共にカバー部材２の内部から取り出される。蓋部材５は、カバー部材２の開口２ａを塞ぐように固定されているので、蓋部材５を支持しながらボルト２５を取り外し、制御装置３を落下させることなく取り出すことが可能である。よって作業の安全性が保たれる。
【００５９】
（４）連結部材４は、コネクタ４３との間に鉛直方向の間隔をあけて制御装置３を支持し、かつ制御装置３の筐体３０は蓋部材５側に開口しているので、制御装置３とコネクタ４３との間に配置される複数の信号線４３１によってコネクタ４３と制御装置３のコネクタ３１１，３２１とを短い距離で接続可能である。また、筐体３０は鉛直方向下方に開口３０ａを有しているので、開口３０ａから筐体３０の内部に雨水等が侵入することを抑制できる。
【００６０】
（５）筒体１０の貫通孔１０ａは、複数の固定部材（第１及び第２の固定部材１０１，１０２）のうち、最も鉛直方向下方に配置される第２の固定部材１０２よりもさらに鉛直方向下方に形成されているので、開口１０ａが筒体１０の取り付け強度に影響を与えることがない。仮に第１の固定部材１０１と第２の固定部材１０２との間の位置に貫通孔１０ａを形成した場合には、既存のアンテナ装置からの置き換えによって筒体の強度が低下するおそれがあるが、本実施の形態では、筒体１０の取り付け強度に影響しない部位に貫通孔１０ａが形成されているので、このようなおそれがない。
【００６１】
（６）連結部材４の第１の板部４１と筒体１０の外周面との間には隙間が形成されているので、カバー部材２の第１〜第３の側壁２１〜２３と筒体１０との間の隙間からカバー部材２の内部に雨水等が浸入したとしても、その雨水等は筒体１０の外周面に沿って流れ、第１の板部４１を介して筐体３０の内部に浸入することがない。
【００６２】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００６３】
１…アンテナ装置、２…カバー部材、２ａ…開口、３…制御装置、４…連結部材、５…蓋部材、９…支柱、１０…筒体、１０ａ…貫通孔、１１…アレイアンテナ、１１ａ…第１のアンテナ素子列、１１ｂ…第２のアンテナ素子列、１２…移相器、１３…中継コネクタ、２１〜２３…第１〜第３の側壁、２１ａ，２２ａ，２３ａ…丸孔、２４…上壁、２５…ボルト、２６…リベット、３０…筐体、３０ａ…開口、３０ｂ…ねじ孔、３１，３２…基板、３３１…ピン、３３２…ソケット、３４…スペーサ、３５，３６…ボルト、３７…電線、４１…第１の板部、４１ａ…ねじ孔、４２…第２の板部、４２ａ…水抜き用の孔、４２ｂ…ねじ孔、４３，４４…コネクタ、４５…ボルト、５０…底壁、５０ａ…水抜き用の孔、５０ｂ，５０ｃ…角孔、５０ｄ…端面、５１〜５３…第１〜第３の側壁、５１ａ，５２ａ，５３ａ…ねじ孔、１０１，１０２…固定部材、１０３…リベット、１１０…反射板、１１１…アンテナ素子、１１２…垂直偏波アンテナ素子、１１３…水平偏波アンテナ素子、１１４…遮蔽板、１１５，１１６…誘電体、２２１，２３１…張り出し部、３１１，３２１…コネクタ、４２１…ボルト、４３１…信号線、４３２，４３３…コネクタ、４３４…信号線、９０１，９０２…取付部材
【図１Ａ】
0005708387.tif 000002
【図１Ｂ】
0005708387.tif 000003
【図２】
0005708387.tif 000004
【図３】
0005708387.tif 000005
【図４】
0005708387.tif 000006
【図５】
0005708387.tif 000007